(57)【特許請求の範囲】
【請求項１】
互いに対向する左右両側壁を有するケーシングと、
前記ケーシングの上部にて開口する第１球導入口部及び前記ケーシングの下部にて開口する第１球払い出し口部を有し、前記第１球導入口部から前記第１球払い出し口部に向けて遊技球を移動させるように前記ケーシング内にて前記左右両側壁の間に沿い上下方向に長手状に延在される第１球払い出し通路と、
前記ケーシングの前記上部にて開口する第２球導入口部及び前記ケーシングの前記下部にて開口する第２球払い出し口部を有し、前記第２球導入口部から前記第２球払い出し口部に向けて遊技球を移動させるように前記ケーシング内にて前記左右両側壁の間に沿い上下方向に長手状に延在される第２球払い出し通路と、
前記ケーシング内にて前記第１及び第２の払い出し通路の各長手方向中間部位の間に介装されて前記左右両側壁の一方に向け出力軸を延出させてなる電動機と、
当該電動機の出力軸に平行に設けてなる第１及び第２の軸により前記第１及び第２の球払い出し通路の前記各長手方向中間部位にて支持される第１及び第２のスプロケットを有して、前記電動機の回転に伴い回転する前記第１及び第２のスプロケットを介し、前記第１及び第２の払い出し通路内を移動する前記各遊技球を前記第１及び第２の球払い出し口部から交互に払い出すように前記ケーシング内に設けられる球払い出し手段とを備える遊技機のための球払い出し装置。
【請求項２】
前記球払い出し手段は、
前記電動機の出力軸に支持されてこの出力軸の回転に伴い回転するピニオン歯車と、前記第１及び第２の軸として前記電動機の出力軸に平行に設けてなる第１及び第２の歯車軸に支持されて前記ピニオン歯車の回転に伴い回転する第１及び第２の被動平歯車とを有する歯車列を備えて、
前記第１及び第２のスプロケットは、前記第１及び第２の歯車軸に前記第１及び第２の被動平歯車と同軸的に支持されており、
前記歯車列は、前記第１及び第２の被動平歯車にて、前記第１及び第２の歯車軸並びに前記第１及び第２のスプロケットとともに、前記ピニオン歯車の径方向に位置するように配列されることを特徴とする請求項１に記載の遊技機のための球払い出し装置。
【請求項３】
互いに対向する左右両側壁を有するケーシングと、
前記ケーシングの上部にて開口する第１球導入口部及び前記ケーシングの下部にて開口する第１球払い出し口部を有し、前記第１球導入口部から前記第１球払い出し口部に向けて遊技球を移動させるように前記ケーシング内にて前記左右両側壁の間に沿い上下方向に長手状に延在される第１球払い出し通路と、
前記ケーシングの前記上部にて開口する第２球導入口部及び前記ケーシングの前記下部にて開口する第２球払い出し口部を有し、前記第２球導入口部から前記第２球払い出し口部に向けて遊技球を移動させるように前記ケーシング内にて前記左右両側壁の間に沿い上下方向に長手状に延在される第２球払い出し通路と、
前記ケーシング内にて前記第１及び第２の払い出し通路の各長手方向中間部位の間に介装されて前記左右両側壁の一方に向け出力軸を延出させてなる電動機と、
当該電動機の回転に伴い前記第１及び第２の払い出し通路内を移動する前記各遊技球を前記第１及び第２の球払い出し口部から交互に払い出すように前記ケーシング内に設けられる球払い出し手段とを備えて、
当該球払い出し手段は、
前記電動機の出力軸に支持されてこの出力軸の回転に伴い回転するピニオン歯車と、前記電動機の下方にてその出力軸に平行に設けてなる第１及び第２の歯車軸に支持されて前記ピニオン歯車の回転に伴い互いに外向きに逆回転するように噛合する第１及び第２の被動平歯車とを備える歯車列と、
前記第１及び第２の被動平歯車よりも前記左右両側壁の前記一方側にて前記第１及び第２の歯車軸により前記第１及び第２の被動平歯車と同軸的に前記第１及び第２の球払い出し通路の各長手方向中間部位にて支持されて、これら各長手方向中間部位内に達する前記各遊技球を当該各長手方向中間部位内にて下方に向け前記第１及び第２の歯車軸の双方の各外側を交互に移動させるように前記第１及び第２の被動平歯車の前記逆回転に伴い互いに逆回転する第１及び第２のスプロケットとを備えて、
前記歯車列は、前記第１及び第２の各被動平歯車にて、前記第１及び第２の各歯車軸並びに前記第１及び第２のスプロケットとともに、前記ピニオン歯車の径方向に位置するように配列される遊技機のための球払い出し装置。
【発明の詳細な説明】
【技術分野】
【０００１】
本発明は、パチンコ遊技機等の遊技機のための球払い出し装置に関する。
【背景技術】
【０００２】
従来、球払い出し装置としては、例えば、下記特許文献１に開示されたパチンコ遊技機の景品球払い出し装置が提案されている。
【０００３】
当該景品球払い出し装置は、パチンコ遊技機の景品球貯留タンクの下方にて傾斜状に位置する景品球誘導レールの末端と、パチンコ遊技機の後面にある機構板の一側縁部に沿い設けた景品球排出通路との間にて、機構板の上記一側縁部に設けられている。
【０００４】
しかして、この景品球払い出し装置は、景品球貯留タンクから景品球誘導レールにより傾斜状に誘導される景品球を、入賞球検知スイッチからの入賞信号に基づいて、景品球排出通路を通し、所定個数ずつ、パチンコ遊技機の上皿内に払い出すようになっている。
【０００５】
このような景品球払い出し装置においては、その景品球の払い出し機能の達成にあたり、ステッピングモータが駆動源として採用されている。このステッピングモータは、そのモータ本体にて、景品球払い出し装置のケースの前壁を構成するケース蓋に、その外方から、モータ取り付け板を介し、組み付けられている。ここで、ステッピングモータは、その出力軸にて、ケース蓋の外面に直交するように、モータ本体にて当該ケース蓋に組み付けられている。
【０００６】
また、両スプロケットが、ケース内に設けた両球供給樋内の景品球を下方に送り出すために当該両球供給樋の下部に支持されており、これら両スプロケットは、互いに噛合する両歯車を介しステッピングモータにより駆動されるようになっている。
【０００７】
ここで、上記両歯車は、ケース蓋とモータ取り付け板との間にて、両スプロケットと同軸的に支持されており、当該両歯車の一方が、ステッピングモータと同軸的に支持されている。
【特許文献１】特許第３７６６９８０号公報
【発明の開示】
【発明が解決しようとする課題】
【０００８】
ところで、上述した景品球払い出し装置においては、ステッピングモータが、上述したごとく、ケースのケース蓋にその外方からモータ取り付け板を介し組み付けられている。このため、ステッピングモータが、ケースの外側に位置することとなる。その結果、当該景品球払い出し装置の幅は、ステッピングモータの出力軸の軸方向に沿うケースの厚さ（ケースの幅）及びステッピングモータのモータ本体の軸方向厚さの影響を受けて、増大する。
【０００９】
しかして、当該景品球払い出し装置をパチンコ遊技機の機構板の一側縁部にその後側から取り付ける場合、この景品球払い出し装置は、その幅方向において、機構板の左右方向に沿うように、機構板の一側縁部に取り付けられる。このため、当該景品球払い出し装置は、ケースの幅に加え、機構板の後側領域をその一側縁部から他側縁部に向けて、ステッピングモータのモータ本体の軸方向厚さ分だけ広く占めることとなる。
【００１０】
しかしながら、近年、遊技機の遊技盤に嵌め込まれる図柄表示装置や入賞装置等の各種装置の外形形状が大幅に増大する傾向にある。
【００１１】
従って、当該景品球払い出し装置を上述のように機構板の一側縁部に取り付けようとしても、この景品球払い出し装置が、機構板の後側領域において、図柄表示装置や入賞装置等の各種装置とぶつかって取り付け難いという不具合を招く。
【００１２】
また、上述のごとく、当該景品球払い出し装置においては、両スプロケットと同軸的に支持されている両歯車が、ケース蓋とモータ取り付け板との間に位置し、かつ一方の歯車はステッピングモータの回転軸に同軸的に支持されている。
【００１３】
従って、上述した景品球払い出し装置は、モータ取り付け板及び両歯車の分だけ、さらに広く、機構板の後側領域を占めることとなる。このため、上述の不具合がより一層助長される。
【００１４】
そこで、本発明は、以上のようなことに対処するため、遊技球の払い出し構成に工夫を凝らし、より一層コンパクトな遊技機のための球払い出し装置を提供することを目的とする。
【課題を解決するための手段】
【００１５】
上記課題の解決にあたり、本発明に係る遊技機のための球払い出し装置は、請求項１の記載によれば、
互いに対向する左右両側壁（４０９、４１０）を有するケーシング（４００）と、
ケーシングの上部（４０１、４００ｂ）にて開口する第１球導入口部（４１２）及びケーシングの下部（４２３、４０２、４１１）にて開口する第１球払い出し口部（４２３ａ）を有し、上記第１球導入口部から上記第１球払い出し口部に向けて遊技球を移動させるようにケーシング内にて上記左右両側壁の間に沿い上下方向に長手状に延在される第１球払い出し通路（４０６）と、
ケーシングの上記上部にて開口する第２球導入口部（４１３）及びケーシングの上記下部にて開口する第２球払い出し口部（４２３ｂ）を有し、上記第２球導入口部から上記第２球払い出し口部に向けて遊技球を移動させるようにケーシング内にて上記左右両側壁の間に沿い上下方向に長手状に延在される第２球払い出し通路（４０７）と、
ケーシング内にて第１及び第２の球払い出し通路の各長手方向中間部位の間に介装されて上記左右両側壁の一方（４０９）に向け出力軸（７０２）を延出させてなる電動機（７００）と、
当該電動機の出力軸に平行に設けてなる第１及び第２の軸により第１及び第２の球払い出し通路の上記各長手方向中間部位にて支持される第１及び第２のスプロケット（７０７、７１０）を有して、電動機の回転に伴い回転する第１及び第２のスプロケットを介し、第１及び第２の払い出し通路内を移動する各遊技球を上記第１及び第２の球払い出し口部から交互に払い出すように前記ケーシング内に設けられる球払い出し手段とを備える。
【００１６】
このように、球払い出し装置の駆動源である電動機を、ケーシング内に、第１及び第２の球払い出し通路の各長手方向中間部位の間を利用して介装するようにした。従って、当該電動機を従来のようにケーシングの外側に位置させる場合に比べて、ケーシングの左右両側壁の間隔（球払い出し装置の幅）を大幅に縮小し得る。
【００１７】
このことは、球払い出し装置が、その幅方向において大幅にコンパクトになることを意味する。その結果、このような球払い出し装置を、パチンコ遊技機等の遊技機の枠状本体の後面に取り付けても、当該球払い出し装置が当該枠状本体の後側領域を広く占めることがない。
【００１８】
ここで、電動機は、その出力軸にて、ケーシングの左右両側壁の一方（４０９）に向け延出するようにケーシング内に位置するから、ケーシングの左右両側壁の間隔が、電動機の外径に左右されることなく、電動機の軸方向寸法で決まる。従って、電動機の仕様として、当該電動機の外径が大きくても、電動機の軸方向寸法が小さければ、球払い出し装置の幅をより一層縮小し得る。
【００１９】
また、球払い出し手段が、電動機の出力軸に平行に設けてなる第１及び第２の軸により第１及び第２の球払い出し通路の各長手方向中間部位にて支持される第１及び第２のスプロケットを有して、電動機と共にケーシング内に設けられているので、当該球払い出し手段を電動機と共に従来のようにケーシングの外部に設ける際に必要となる余分な構成部材が不要となり、球払い出し装置の幅がさらに縮小され得る。
【００２０】
また、本発明は、請求項２の記載によれば、請求項１に記載の遊技機のための球払い出し装置において、
球払い出し手段は、
電動機の出力軸に支持されてこの出力軸の回転に伴い回転するピニオン歯車（７０３）と、上記第１及び第２の軸として電動機の出力軸に平行に設けてなる第１及び第２の歯車軸（７０５、７０８）に支持されてピニオン歯車の回転に伴い回転する第１及び第２の被動平歯車（７０６、７０９）とを有する歯車列を備えて、
第１及び第２のスプロケットは、第１及び第２の歯車軸に第１及び第２の被動平歯車と同軸的に支持されており、
歯車列は、第１及び第２の被動平歯車にて、第１及び第２の歯車軸並びに第１及び第２のスプロケットとともに、ピニオン歯車の径方向に位置するように配列されることを特徴とする。
【００２１】
これによれば、球払い出し手段において、歯車列が、第１及び第２の各被動平歯車にて、第１及び第２の歯車軸並びに第１及び第２のスプロケットとともに、電動機の出力軸の軸方向ではなく、電動機の出力軸に支持してなるピニオン歯車の径方向に位置するように、配列される。その結果、請求項１に記載の発明の作用効果がより一層向上され得る。
【００２２】
本発明に係る遊技機のための球払い出し装置は、請求項３の記載によれば、
互いに対向する左右両側壁（４０９、４１０）を有するケーシング（４００）と、
ケーシングの上部（４０１、４００ｂ）にて開口する第１球導入口部（４１２）及びケーシングの下部（４２３、４０２、４１１）にて開口する第１球払い出し口部（４２３ａ）を有し、上記第１球導入口部から上記第１球払い出し口部に向けて遊技球を移動させるようにケーシング内にて上記左右両側壁の間に沿い上下方向に長手状に延在される第１球払い出し通路（４０６）と、
ケーシングの上記上部にて開口する第２球導入口部（４１３）及びケーシングの上記下部にて開口する第２球払い出し口部（４２３ｂ）を有し、上記第２球導入口部から上記第２球払い出し口部に向けて遊技球を移動させるようにケーシング内にて上記左右両側壁の間に沿い上下方向に長手状に延在される第２球払い出し通路（４０７）と、
ケーシング内にて第１及び第２の払い出し通路の各長手方向中間部位の間に介装されて上記左右両側壁の一方（４０９）に向け出力軸（７０２）を延出させてなる電動機（７００）と、
電動機の回転に伴い第１及び第２の払い出し通路内を移動する各遊技球を上記第１及び第２の球払い出し口部から交互に払い出すようにケーシング内に設けられる球払い出し手段（７０３、７０５、７０６、７０７、７０８、７０９、７１０）とを備えて、
当該球払い出し手段は、
電動機の出力軸に支持されてこの出力軸の回転に伴い回転するピニオン歯車（７０３）と、電動機の下方にてその出力軸に平行に設けてなる第１及び第２の歯車軸（７０５、７０８）に支持されてピニオン歯車の回転に伴い互いに外向きに逆回転するように噛合する第１及び第２の被動平歯車（７０６、７０９とを備える歯車列と、
第１及び第２の被動平歯車よりも上記左右両側壁の上記一方側にて第１及び第２の歯車軸により第１及び第２の被動平歯車と同軸的に第１及び第２の球払い出し通路の各長手方向中間部位にて支持されて、これら各長手方向中間部位内に達する各遊技球を当該各長手方向中間部位内にて下方に向け第１及び第２の歯車軸の双方の各外側を交互に移動させるように第１及び第２の被動平歯車の上記逆回転に伴い互いに逆回転する第１及び第２のスプロケット（７０７、７１０）とを備えて、
歯車列は、第１及び第２の各被動平歯車にて、第１及び第２の各歯車軸並びに第１及び第２のスプロケットとともに、ピニオン歯車の径方向に位置するように配列される。
これによれば、球払い出し装置の駆動源である電動機を、ケーシング内に、第１及び第２の球払い出し通路の各長手方向中間部位の間を利用して介装するようにした。従って、当該電動機を従来のようにケーシングの外側に位置させる場合に比べて、ケーシングの左右両側壁の間隔（球払い出し装置の幅）を大幅に縮小し得る。
このことは、球払い出し装置が、その幅方向において大幅にコンパクトになることを意味する。その結果、このような球払い出し装置を、パチンコ遊技機等の遊技機の枠状本体の後面に取り付けても、当該球払い出し装置が当該枠状本体の後側領域を広く占めることがない。
ここで、電動機は、その出力軸にて、ケーシングの左右両側壁の一方に向け延出するようにケーシング内に位置するから、ケーシングの左右両側壁の間隔が、電動機の外径に左右されることなく、電動機の軸方向寸法で決まる。従って、電動機の仕様として、当該電動機の外径が大きくても、電動機の軸方向寸法が小さければ、球払い出し装置の幅をより一層縮小し得る。
また、球払い出し手段が電動機と共にケーシング内に設けられているので、当該球払い出し手段を電動機と共に従来のようにケーシングの外部に設ける際に必要となる余分な構成部材が不要となり、球払い出し装置の幅がさらに縮小され得る。
また、上述のように、球払い出し手段において、歯車列が、第１及び第２の各被動平歯車にて、第１及び第２の各歯車軸並びに第１及び第２のスプロケットとともに、電動機の出力軸の軸方向ではなく、電動機の出力軸に支持してなるピニオン歯車の径方向に位置するように、配列される。その結果、上述した作用効果がより一層向上され得る。
また、第１及び第２のスプロケットを、第１及び第２の球払い出し通路の各長手方向中間部位にて、下方に向け第１及び第２の歯車軸の双方の各外側を交互に移動させるように互いに逆回転させるべく支持することを前提として、第１及び第２の球払い出し通路は、それぞれ、第１及び第２の球導入口部から第１及び第２の球払い出し口部にかけて、上記各長手方向中間部位にて、とぎれることなく通路壁を維持しつつ、長手方向に連続的に構成されている。
【００２３】
このため、第１及び第２の球払い出し通路内の各遊技球は、第１及び第２のスプロケットの間を通ることなく、第１及び第２の球払い出し通路の上記各長手方向中間部位内にて、第１及び第２のスプロケットの各外側を通るように、第１及び第２の球払い出し通路の上記各長手方向中間部位の内壁に沿い下方へ案内される。
【００２４】
従って、各遊技球が第１及び第２の球払い出し通路内にて横方向にぶれたり暴れたりすることなく第１及び第２の球払い出し口部に向けて移動し得る。その結果、遊技球の払い出し数を決定するために球払い出し検出器により遊技球を検出する際に、同一の遊技球を複数回に亘り検出するというような現象（チャタリング現象）を誘起することもなく、遊技球の払い出し数を適正に決定し得る。
【００２５】
これにより、当該球払い出し装置をパチンコ遊技機等の遊技機に採用すれば、遊技球の適正な払い出し動作のもと、遊技場経営者と遊技者との間の無用なトラブルの発生を未然に防止することができ、ひいては、遊技場の円滑な運営が担保され得る。
【００４３】
なお、上記各手段の括弧内の符号は、後述する各実施形態に記載の具体的手段との対応関係を示す。
【発明を実施するための最良の形態】
【００４４】
以下、本発明の各実施形態を図面により説明する。
（第１実施形態）
図１及び図２は、本発明を適用してなるパチンコ遊技機の第１実施形態を示している。このパチンコ遊技機は、その設置にあたり、パチンコホール内の島に立設されるもので、当該パチンコ遊技機は、四角環状の基枠１００と、この基枠１００に支持される遊技機本体２００及び前扉３００とを備えている。なお、図１において、基枠１００の図示左側、右側、上側及び下側が、それぞれ、当該パチンコ遊技機の左側、右側、上側及び下側に対応する。また、基枠１００の前側（前扉３００側）及び後側は、それぞれ、当該パチンコ遊技機の前側及び後側に対応する。
【００４５】
遊技機本体２００は、枠状本体２１０及び遊技盤（図示しない）を備えており、枠状本体２１０は、その左側縁部にて、基枠１００の左側縁部に前後方向に開閉可能に支持されている。上記遊技盤は、枠状本体２１０の中央穴部（図示しない）に嵌装されており、この遊技盤には、その前面側から、図柄表示装置や入賞装置等の各種装置２４０（図１参照）が取り付けられている。なお、図柄表示装置や入賞装置は、それぞれ、装置本体及びその制御装置でもって構成されている。
【００４６】
本第１実施形態では、当該各種装置２４０は、球誘導樋２３０の直下にて、枠状本体２１０の後側へ突出している。
【００４７】
また、近年、上述した各種装置２４０に含まれる装置がさらに増大傾向にあることから、当該各種装置２４０の外形形状が、枠状本体２１０の上下方向だけでなく左右方向においても増大する傾向にある。このため、当該各種装置２４０は、枠状本体２１０をその後側にて左右方向に広く占めている。
【００４８】
なお、枠状本体２１０は、木製遊技板の右側縁部に沿い合成樹脂製固定板を組み付けて構成されており、当該固定板は、その組み付け部にて、上記遊技板の右側縁部に沿い組み付けられている。また、当該固定板は、その固定部にて、上記組み付け部の後端部から上記遊技板の後面に沿い左方へＬ字状に一体的に延出されている。
【００４９】
また、当該遊技機本体２００は、球貯留タンク２２０及び球誘導樋２３０を有している。球貯留タンク２２０は、その前壁にて、枠状本体２１０の上部にその後面に沿い直接取り付けられており、この球貯留タンク２２０はその上端開口部から内部に遊技球を供給されて貯留する。なお、当該球貯留タンク２２０は、底壁開口部を有しており、この底壁開口部は、枠状本体２１０の上部の後側におけるスペースを確保するため、球貯留タンク２２０の底壁のうち当該球貯留タンク２２０の左壁と後壁との隅角部に下方に向けて開口形成されている。
【００５０】
球誘導樋２３０は、球貯留タンク２２０の直下にて、当該球貯留タンク２２０の左側端部から右側に向け、かつ下方へ緩やかに傾斜するように、枠状本体２１０の後面に沿い取り付けられており、この球誘導樋２３０は、球貯留タンク２２０の底壁開口部から落下する遊技球をその傾斜方向に向けて誘導する。また、当該球誘導樋２３０は、その右側端部２３１にて、球流出口部（図示しない）を有しており、この球誘導樋２３０は、その誘導遊技球を上記球流出口部から下方に向けて落下させる。
【００５１】
また、当該遊技機本体２００は、図１及び図２にて示すごとく、球払い出し装置Ｄを有しており、この球払い出し装置Ｄは、球誘導樋２３０の上記球流出口部の下側に位置するように、枠状本体２１０の上記固定板の固定部にその後面に沿い固定支持されている。
【００５２】
当該球払い出し装置Ｄは、図１〜図３、図７及び図８にて示すごとく、扁平形状のケーシング４００を備えており、当該ケーシング４００は、直方体形状のケーシング本体部４００ａと、このケーシング本体部４００ａの上壁４０１の後部から上方へ一体的に延出するケーシング頭部４００ｂとを有するように、合成樹脂材料でもって形成されている。なお、上述の扁平形状とは、ケーシング４００が、図２にてその左右方向において、薄い形状となっていることをいう。
【００５３】
しかして、当該ケーシング４００は、ケーシング本体部４００ａの前壁４０２（図３参照）にて、枠状本体２１０の後面の右側縁部に沿い当接するように、当該右側縁部の適所に支持されている（図１及び図２参照）。このため、当該ケーシング４００においては、ケーシング本体部４００ａが、球誘導樋２３０の上記球流出口部の下側にあって、枠状本体２１０の後面の右側縁部からその後方へ突出するとともに、ケーシング頭部４００ｂが、その前壁４０３にて、枠状本体２１０の後面の右側縁部に対し間隔をおいて対向しつつ、球誘導樋２３０の上記球流出口部の直下に位置する。
【００５４】
また、ケーシング４００は、その内部において、隔壁４０４（図５及び図７参照）、隔壁４０５（図４〜図７参照）、球払い出し通路４０６（図４〜図７参照）、球払い出し通路４０７（図４〜図６参照）及び球抜き通路４０８（図５参照）を備えている。
【００５５】
隔壁４０４は、上側隔壁部４０４ａ（図５及び図７参照）及び下側隔壁部４０４ｂ（図７参照）を有しており、上側隔壁部４０４ａは、図５にて示すごとく、ケーシング頭部４００ｂの先端部からケーシング本体部４００ａの上下方向中間部位にかけて、ケーシング４００の左右両側壁４０９、４１０（図７参照）の間の左右方向中央（ケーシング４００の幅方向中央に相当）に沿い位置するように、ケーシング４００の後壁４１１から前壁４０２側へ一体的に延出されている。なお、左右両側壁４０９、４１０は、ケーシング本体部４００ａ及びケーシング頭部４００ｂに共通に形成されている。
【００５６】
下側隔壁部４０４ｂは、図７にて示すごとく、上側隔壁部４０４ａの下方にて、この上側隔壁部４０４ａよりもケーシング４００の右壁４１０側に位置し、かつ当該右壁４１０に沿うように、ケーシング４００の後壁４１１から前壁４０２側へ一体的に延出されている。
【００５７】
隔壁４０５は、図７にて示すごとく、ケーシング４００の左壁４０９の下壁部４０９ｂの内側に位置し、かつこの下壁部４０９ｂに沿うように、左壁４０９の上壁部４０９ａと一体的に設けられている。
【００５８】
詳細には、隔壁４０５は、次のようにして設けられている。左壁４０９は、図７にて示すごとく、ケーシング本体部４００ａの上下方向中央にて、２分割されて、上壁部４０９ａ及び下壁部４０９ｂを構成している。また、連結壁部４０９ｃが、上壁部４０９ａの下端部から内側へＬ字状に屈曲形成され、かつ、隔壁４０５が当該連結壁部４０９ｃの右端部から下方に向け延出するように設けられている。なお、下壁部４０９ｂは、後述するように、蓋８００の蓋壁部８０１を構成する。また、右壁４１０は、左壁４０９と同様に、上壁部４１０ａ及び下壁部４１０ｂに２分割構成されている。
【００５９】
両球払い出し通路４０６、４０７は、図４或いは図５にて示すごとく、球抜き通路４０８の後側において、ケーシング頭部４００ｂからケーシング本体部４００ａにかけて帯状（長手状）に形成されている。
【００６０】
球払い出し通路４０６は、上側通路部４０６ａ及び下側通路部４０６ｂ（図５参照）を有しており、上側通路部４０６ａは、その上端開口部にて、ケーシング頭部４００ｂの左側球導入口部４１２（図５及び図９参照）を構成している。この上側通路部４０６ａは、図５または図７にて示すごとく、左側球導入口部４１２から、ケーシング４００の左壁４０９の上壁部４０９ａ及び隔壁４０５と隔壁４０４との間にて矢印Ｒ１（図５及び図６にて二点鎖線による矢印参照）に沿うように形成されている。
【００６１】
ここで、ケーシング頭部４００ｂは、その内部にて、隔壁４０４の上側隔壁部４０４ａの上部により左右に２分割され、かつ、分割壁４１４ａ（図９参照）により前後に２分割されることで、四角形状の左右両側球導入口部４１２、４１３を対角線方向に位置するように形成してなるものである。なお、分割壁４１４ａは、上側隔壁部４０４ａに直交している。
【００６２】
即ち、左側球導入口部４１２は、ケーシング４００の左壁４０９の上壁部４０９ａと隔壁４０４の上側隔壁部４０４ａとの間にて、ケーシング４００の後壁４１１側に位置する。従って、上側通路部４０６ａは、左側球導入口部４１２にて、球誘導樋２３０の上記球流出口部を下方から臨む。
【００６３】
また、右側開口部４１３は、右側球導入口部４１３として、ケーシング４００の右壁４１０の上部と隔壁４０４の上側隔壁部４０４ａとの間にて、ケーシング頭部４００ｂの前壁４０３側に位置する。なお、ケーシング頭部４００ｂの延出先端部のうち、左右両側球導入口部４１２、４１３以外の部位は、図８にて示すごとく、閉塞部４１４ｂ、４１４ｃでもって閉塞されている。
【００６４】
また、上述のように矢印Ｒ１に沿う上側通路部４０６ａは、図５或いは図７にて示すごとく、下側通路部４０６ｂとともに、ケーシング４００の左壁４０９の上壁部４０９ａと隔壁４０４の上側隔壁部４０４ａとの間及び隔壁４０５と隔壁４０４の下側隔壁部４０４ｂとの間において、幅方向内壁４１５、左側球切れレバー４１６のレバー部４１６ａの左側部（後述する）、幅方向内壁４１７、ケーシング４００の後壁４１１の上下方向中間部位及び幅方向内壁４１８と、分割壁４１４ａ（図８参照）、ケーシング頭部４００ｂの前壁４０３の左側部、球抜きレバー４１９のレバー部４１９ａ（後述する）、各幅方向内壁４２０、４２１及び４２２との間に沿い形成されている。
【００６５】
本第１実施形態では、球払い出し通路４０６の上側通路部４０６ａにおいて、各幅方向内壁４１５、４１７及び４２０は、隔壁４０４の上側隔壁部４０４ａの左面上に位置する。また、下側通路部４０６ｂにおいて、各幅方向内壁４１８、４２１及び４２２は、隔壁４０４の下側隔壁部４０４ｂの左面上に位置する。
【００６６】
ここで、幅方向内壁４１５は、ケーシング４００の後壁４１１側からケーシング頭部４００ｂの前壁４０３側へ図５にて示すごとく曲折形成されている。また、各幅方向内壁４１７、４２０は、図５にて示すごとく、ケーシング頭部４００ａの前壁４０３の下方から後壁４１１側へ曲折した後下方に向けて曲折するように形成されている。
【００６７】
左側球切れレバー４１６は、制御ユニット５００の構成部材であって、レバー部４１６ａ及び操作部４１６ｂでもって、Ｌ字板状に形成されており、この左側球切れレバー４１６は、レバー部４１６ａと操作部４１６ｂとの連結部にて、ケーシング４００の左右両側壁４０９、４１０のうち幅方向内壁４１５の下端部の直下に位置する各部により、図５に図示時計方向或いは反時計方向に回動可能に支持されている。
【００６８】
これにより、当該左側球切れレバー４１６は、そのレバー部４１６ａにて、球払い出し通路４０６内を流下する遊技球（図５にて符号Ｂ１参照）により押動されて、原位置から反時計方向に回動して、両幅方向内壁４１５、４１７の間を閉じ、これら両幅方向内壁４１５、４１７の間の幅方向内壁としての役割を果たす。一方、球払い出し通路４０６内を流下する遊技球がないと、左側球切れレバー４１６は、後述のごとく時計方向に回動し原位置に復帰する。
【００６９】
また、球抜きレバー４１９は、両レバー部４１９ａ、４１９ｂでもって略Ｌ字状に形成されており、この球抜きレバー４１９は、両レバー部４１９ａ、４１９ｂの連結部でもって、ケーシング本体部４００ａの上壁４０１の直下及びケーシング頭部４００ｂの前壁４０３の下部後側において、軸４１９ｃにより回動可能に支持されて、ケーシング４００の左右両側壁４０９、４１０の間に挟持されている。なお、球抜きレバー４１９は、図５にて示す位置にあるとき、ケーシング頭部４００ｂの前壁４０３と両幅方向内壁４２０及び４２９（後述する）との間の幅方向内壁としての役割を果たす。
【００７０】
また、各幅方向内壁４１８、４２１、４２２は、後壁４１１側から前壁４０２側へ曲折しながら、ケーシング４００の下壁４２３の前後方向中央に向けて曲折するように形成されている。これに伴い、球払い出し通路４０６は、下側通路部４０６ｂの下端開口部にて、ケーシング本体部４００ａの後側払い出し口部４２３ａを構成する。
【００７１】
本実施形態では、幅方向内壁４２１は、図６にて示すごとく、その下壁部４２１ａにて、隔壁４０５の円形状挿入穴部４０５ａの前側周縁部位に沿い前側へ凸な円弧状に湾曲形成されている。また、幅方向内壁４２２は、図６にて示すごとく、その上壁部４２２ａにて、隔壁４０５の円形状挿入穴部４０５ｂの前側周縁部位に沿い前側へ凸な円弧状に湾曲形成されて、幅方向内壁４２１の下壁部４２１ａに連結されている。また、幅方向内壁４１８は、その上部４１８ａにて、隔壁４０５の円形状穴部４０５ａの後側周縁部位に沿うように円弧状に形成されている。
【００７２】
ここで、上述した円形状挿入穴部４０５ａは、図６にて示すごとく、隔壁４０５の上下方向中間部位にて形成されて、球払い出し通路４０６のうち幅方向内壁４１８の上部４１８ａと幅方向内壁４２１の下部４２１ａ及び幅方向内壁４２２の上部４２２ａとの間の通路部位内に開口している。
【００７３】
また、球払い出し通路４０６の下側通路部４０６ｂ内においては、隆起部４２４が、図１０、図１３及び図１４にて示すごとく、横断面略三角形状でもって隆起形成されており、この隆起部４２４は、その隆起面４２４ａにて、幅方向内壁４２２の左右方向中間部位から隔壁４０４の下側隔壁部４０４ｂのうち下側通路部４０６ｂの帯状方向下部（長手方向下部）に対する対応部の前後方向中間部位上にかけて、緩やかに傾斜している。なお、本第１実施形態において、帯状方向（長手方向）とは、下側通路部４０６ｂ内の遊技球の通路方向に相当し、また、球払い出し通路４０６、その上側通路部４０６ａ、球払い出し通路４０７、その上側通路部４０７ａ、下側通路部４０７ｂ及び球抜き通路４０８においても同様である。
【００７４】
また、当該隆起部４２４は、図５及び図６にて破線により示すごとく、ケーシング本体部４００ａの後側払い出し口部４２３ａからスプロケット付き歯車部材Ｓ１の軸７０５（後述する）の軸周り及び隔壁４０５の円形状挿入穴部４０５ａの後側周縁部にかけて形成されている。
【００７５】
ここで、上述のように隆起部４２４がスプロケット付き歯車部材Ｓ１の軸７０５（後述する）の軸周りに形成されているのは、次のような根拠に基づく。即ち、スプロケット７０７（後述する）の両隣接羽根７０７ａ（図６参照）と下側通路部４０６ｂの幅方向内壁４１８のうち当該両隣接羽根７０７ａに対する対向内壁部との間に形成される球通路部（以下、後側球通路部ともいう）内において、遊技球の移動可能断面を、隆起部４２４の隆起面４２４ａのうち上記後側球通路部に対する対向隆起面部Ｐ（図１３参照）によって狭く制限するためである。
【００７６】
これにより、当該遊技球が、スプロケット７０７の時計方向回転（図６参照）のもと、両隣接羽根７０７ａと幅方向内壁４１８のうち上記両隣接羽根７０７ａに対する対向内壁部との間で前後左右方向にぶれて動くことなく、隔壁４０５の円形状挿入穴部４０５ａの後側周縁部に沿い、円滑に下側通路部４０６ｂの下方へ移動し得る。
【００７７】
なお、上述のように、隆起部４２４を、軸７０５の軸周りから下側通路部４０６ｂの帯状方向下部内に亘り形成することで、当該遊技球を、下側通路部４０６ｂの帯状方向下部内にて、前後左右方向へぶれることなく、円滑に移動させ得る。
【００７８】
また、球払い出し通路４０６は、図７にて示すごとく、傾斜部４０６ｃを有しており、この傾斜部４０６ｃは、上側隔壁部４０４ａの下端部のうち上側通路部４０６ａに対する対応部位にて、ケーシング４００の右壁４１０側に近づくように下方に向け傾斜して形成されて、三角板状ガイドＧに対向している。このガイドＧは、左壁４０９の上壁部４０９ａの下端部と連結壁部４０９ｃとで形成される隅角部に設けられており、当該ガイドＧは、その傾斜端部Ｇａにて、傾斜部４０６ｃの傾斜方向に沿い形成されている。
【００７９】
球払い出し通路４０７は、上側通路部４０７ａ及び下側通路部４０７ｂ（図５参照）を有しており、上側通路部４０７ａは、その上端開口部にて、ケーシング頭部４００ｂの右側球導入口部４１３（図９参照）を構成し、球誘導樋２３０の上記球流出口部を下方から臨む。また、この上側通路部４０７ａは、図５から分かるように、下側通路部４０７ｂとともに、右側球導入口部４１３から、隔壁４０４の上側隔壁部４０４ａ及び隔壁４０５と、ケーシング４００の右壁４１０の上部及び隔壁４０４の下側隔壁部４０４ｂとの間にて、矢印Ｒ２（図５にて破線による矢印参照）に沿うように形成されている。
【００８０】
このように矢印Ｒ２に沿う球払い出し通路４０７の上側通路部４０７ａ及び下側通路部４０７ｂは、隔壁４０４の上側隔壁部４０４ａとケーシング４００の右壁４１０の上部との間及び隔壁４０５と隔壁４０４の下側隔壁部４０４ｂとの間において、分割壁４１４ａ（図８参照）、右側球切れレバー４２５のレバー部４２５ａ（後述する）、各幅方向内壁４２６、４２７及び４２８と、ケーシング頭部４００ｂの前壁４０３の右側部、球抜きレバー４１６のレバー部４１６ａの右側部、各幅方向内壁４２９、４３０との間に沿い形成されている。
【００８１】
右側球切れレバー４２５は、制御ユニット５００の構成部材であって、レバー部４２５ａ及び操作部４２５ｂでもって、Ｌ字板状に形成されており、この右側球切れレバー４２５は、レバー部４２５ａと操作部４２５ｂとの連結部にて、ケーシング４００の左右両側壁４０９、４１０のうち幅方向内壁４１５の下端部の直下に位置する各部により、図５に図示時計方向或いは反時計方向に回動可能に支持されている。
【００８２】
これにより、当該右側球切れレバー４２５は、そのレバー部４２５ａにて、球払い出し通路４０６内を流下する遊技球により押動されて、原位置から反時計方向に回動して、分割壁４１４ａの右側部と幅方向内壁４４２６との間を閉じ、これら分割壁４１４ａの右側部と幅方向内壁４４２６との間の幅方向内壁としての役割を果たす。一方、球払い出し通路４０７内を流下する遊技球がないと、右側球切れレバー４２５は、後述のごとく時計方向に回動し原位置に復帰する。
【００８３】
本実施形態では、球払い出し通路４０７の上側通路部４０７ａにおいて、各幅方向内壁４２６、４２９は、隔壁４０４の上側隔壁部４０４ａの右面上に位置し、下側通路部４０７ｂにおいて、各幅方向内壁４２７、４３０は、隔壁４０４の下側隔壁部４０４ｂの左面上に位置する。
【００８４】
ここで、両幅方向内壁４２６、４２９は、両幅方向内壁４２０、４１７とはほぼ逆方向に曲折した後下方に向けて曲折するように、隔壁４０４の上側隔壁部４０４ａとケーシング４００の右壁４１０の上部との間に形成されている。
【００８５】
また、各幅方向内壁４２７、４２８及び４３０は、隔壁４０５と隔壁４０４の下側隔壁部４０４ｂとの間にて形成されている。これに伴い、球払い出し通路４０７は、下側通路部４０７ｂの下端開口部にて、ケーシング４００の下壁４２３の前側払い出し口部４２３ｂを構成する。
【００８６】
本実施形態では、幅方向内壁４２７は、図６にて示すごとく、その下壁部４２７ａにて、隔壁４０５の円形状穴部４０５ｂの後側周縁部位に沿い後側へ凸な円弧状に湾曲形成されている。また、幅方向内壁４２８は、図６にて示すごとく、その上壁部４２８ａにて、隔壁４０５の円形状穴部４０５ｂの後側周縁部位に沿い後側に凸な円弧状に湾曲形成されて、幅方向内壁４２７の下壁部４２７ａに連結されている。また、幅方向内壁４３０は、その上部４３０ａにて、隔壁４０５の円形状穴部４０５ｂの前側周縁部位に沿うように円弧状に形成されている。
【００８７】
ここで、上述した円形状挿入穴部４０５ｂは、図６にて示すごとく、隔壁４０５の上下方向中間部位において、円形状挿入穴部４０５ａとともに前後方向に並んで形成されており、この円形状挿入穴部４０５ｂは、球払い出し通路４０７のうち幅方向内壁４３０の上部４３０ａと幅方向内壁４２７の下部４２７ａ及び幅方向内壁４２８の上部４２８ａとの間の通路部位内に開口している。
【００８８】
また、球払い出し通路４０７の下側通路部４０７ｂ内においては、隆起部４３１が、図１０、図１３及び図１４にて示すごとく、横断面略三角形状でもって隆起形成されており、この隆起部４３１は、その隆起面４３１ａにて、幅方向内壁４２８の左右方向中間部位から隔壁４０４の下側隔壁部４０４ｂのうち下側通路部４０７ｂに対する対応部の前後方向中間部位上にかけて、緩やかに傾斜している。
【００８９】
また、当該隆起部４３１は、図５及び図６にて破線により示すごとく、ケーシング本体部４００ａの前側払い出し口部４２３ｂからスプロケット付き歯車部材Ｓ２の軸７０８（後述する）の軸周り及び隔壁４０５の円形状挿入穴部４０５ｂの前側周縁部にかけて形成されている。
【００９０】
ここで、上述のように隆起部４３１がスプロケット付き歯車部材Ｓ２の軸７０８（後述する）の軸周りに形成されているのは、次のような根拠に基づく。即ち、スプロケット７１０（後述する）の両隣接羽根７１０ａ（図６参照）と下側通路部４０７ｂの幅方向内壁４３０のうち当該両隣接羽根７１０ａに対する対向内壁部との間に形成される球通路部（以下、前側通路部ともいう）内において、遊技球の移動可能断面を、隆起部４３１の隆起面４３１ａのうち上記前側球通路部に対する対向隆起面部Ｑ（図１３参照）によって狭く制限するためである。
【００９１】
これにより、当該遊技球が、スプロケット７１０の反時計方向回転（図６参照）のもと、両隣接羽根７１０ａと幅方向内壁４３０のうち上記両隣接羽根７１０ａに対する対向内壁部との間で前後左右方向にぶれて動くことなく、隔壁４０５の円形状挿入穴部４０５ｂの前側周縁部に沿い、円滑に下側通路部４０７ｂの下方へ移動し得る。
【００９２】
なお、上述のように、隆起部４３１を、軸７０８の軸周りから下側通路部４０７ｂの帯状方向下部内に亘り形成することで、当該遊技球を、下側通路部４０７ｂの帯状方向下部内にて、前後左右方向へぶれることなく、円滑に移動させ得る。
【００９３】
また、球払い出し通路４０７は、図５にて示すごとく、ガイド部Ｆを有しており、このガイド部Ｆは、右壁４１０の内面から左壁４０９側へ板状に突設されている。このガイド部Ｆの突設先端部は、その上端部Ｆ１にて、右壁４１０の内面から左壁４０９側へ下方に向け傾斜状に形成されている。これにより、当該ガイド部Ｆは、その突設先端部に沿い、ケーシング４００の右壁４１０の内面上の遊技球を下側通路部４０７ｂ内に移動させる。
【００９４】
球抜き通路４０８は、ケーシング本体部４００ａの左右両側壁４０９、４１０の間にて、幅方向内壁４３２及びケーシング本体部４００ａの前壁４０２と、球抜きレバー４１９のレバー部４１９ａ、幅方向内壁４２９及び蓋８００の幅方向内壁８０２との間に沿い形成されており、当該球抜き通路４０８は、その上端開口部（球抜き口部）にて、上側通路部４０６ａ、４０７ａ（即ち、ケーシング頭部４００ｂの前壁４０３と両幅方向内壁４２０、４２９との間を構成する球放出口部）を前壁４０２側から臨むように形成されている。また、当該球抜き通路４０８は、その下端開口部にて、ケーシング４００の下壁４２３の排出口部４２３ｃを構成する。
【００９５】
球抜き機構６００は、図５にて示すごとく、ケーシング本体部４００ａの前壁４０２と上壁４０１との隅角部内に設けられており、この球抜き機構６００は、支柱部材６１０及び規制部材６２０と、上述した球抜きレバー４１９とでもって、構成されている。
【００９６】
支柱部材６１０は、支柱部６１１及び二股部６１２を有しており、支柱部６１１は、ケーシング本体部４００ａの前壁４０２の上部に沿い左右方向に支持されている。二股部６１２は、支柱部６１１の左側部からケーシング４００の後壁４１１側に向けて二股状に延出されている。
【００９７】
規制部材６２０は、規制レバー６２１を備えており、この規制レバー６２１は、その操作軸６２１ａでもって、二股部６１２の後側にて、ケーシング４００の左右両側壁４０９、４１０の各上壁部４０９ａ、４１０ａの環状ボス４０９d、４１０ｃにより支持されて、ボス４１０ｃの中空部内に軸動可能に延出している。なお、環状ボス４０９ｄは、左壁４０９の内側へ突設されている。一方、環状ボス４１０ｃは、右壁４１０の上壁部４１０ａの外面からその内側へ突設されている。
【００９８】
また、規制レバー６２１は、その長手方向中央部にて、操作軸６２１ａの軸方向中間部に支持されている。この規制レバー６２１は、その長手方向一端部にて、二股部６１２内に係合しており、当該規制レバー６２１は、その長手方向一端部から長手方向他端部にかけて、ケーシング本体部４００ａの上壁４０１に並行に延出するように支持されている。
【００９９】
また、コイルスプリング６２１ｃが、環状ボス４０９ｄに外方から同軸的に嵌装されて、左壁４０９と規制レバー６２１との間に挟持されている。このため、規制レバー６２１は、環状ボス４１０ｃ側に向け軸動可能にコイルスプリング６２１ｃにより付勢されている。
【０１００】
しかして、規制レバー６２１が環状ボス４１０ｃ側に向け軸動可能にコイルスプリング６２１ｃにより付勢されているとき、当該規制レバー６２１は、その長手方向他端部にて、球抜きレバー４１９のレバー部４１９ｂにその上側から時計方向に当接する。このことは、球抜きレバー４１９が、レバー部４１９ａにて、ケーシング４００ｂの前壁４０３と幅方向内壁４２９との間を閉じる。
【０１０１】
また、規制レバー６２１が操作軸６２１ａにて環状ボス４１０ｃ側から環状ボス４０９ｄ側へ押動されたとき、規制レバー６２１は、球抜きレバー４１９のレバー部４１９ｂとは当接することなく当該レバー部４１９ｂの左側に位置する。このことは、球抜きレバー４１９が、レバー部４１９ａにて、ケーシング４００ｂの前壁４０３と幅方向内壁４２９との間を開き得るように位置することを意味する。
【０１０２】
ステップモータ７００は、図４〜図６にて示すごとく、ケーシング本体部４００ａ内において、球払い出し通路４０６の幅方向内壁４２０と球払い出し通路４０７の幅方向内壁４２６との間に配設されており、このステップモータ７００は、モータ本体７０１と、このモータ本体７０１内のロータから出力側へ同軸的に延出する出力軸７０２とを備えている。
【０１０３】
モータ本体７０１は、その反出力側端面にて、ケーシング４００の右壁４１０の内面に着座しており、このモータ本体７０１は、その出力側端面にて、隔壁４０５の上端部及び左壁４０９の上壁部４０９ａの下端部に対向支持されている。出力軸７０２は、モータ本体７０１の出力側端面から隔壁４０５と上壁部４０９ａとの境界壁部に向けて延出されている（図４〜図６参照）。具体的には、出力軸７０２は、隔壁４０５と上壁部４０９ａとの境界壁部の前後方向中央に形成した切欠部ｔ内に延出している（図５及び図１１参照）。
【０１０４】
ピニオン歯車７０３は、図５及び図６にて示すごとく、駆動歯車として、切欠部ｔ内にて、ステップモータ７００の出力軸７０２の出力端部に同軸的に支持されており、このピニオン歯車７０３は、ステップモータ７００の出力軸７０２の回転に同期して回転する。
【０１０５】
大径の平歯車７０４は、中間平歯車として、軸７０４ａを介し、隔壁４０５の上部にその左側から回転可能に支持されて、ピニオン歯車７０３に噛合する。なお、軸７０４ａは、蓋８００の蓋壁部８０１と隔壁４０５との間にこれらに直交するように支持されている。
【０１０６】
スプロケット付き歯車部材Ｓ１は、図４〜図６にて示すごとく、その筒状ボスにて軸７０５（歯車軸７０５）に同軸的に支持することにより、隔壁４０５の円形状挿入穴部４０５ａを介し下側隔壁部４０４ｂの左面に回転可能に支持されている。なお、軸７０５は、下側隔壁部４０４ｂと蓋８００の蓋壁部８０１との間に挟持されている。
【０１０７】
当該スプロケット付き歯車部材Ｓ１は、平歯車７０６（被動平歯車７０６）と、この平歯車７０６の後面に同軸的にかつ一体的に形成されたスプロケット７０７とを備えており、スプロケット７０７は、平歯車７０６を隔壁４０５の左面上に沿い位置させるように、当該隔壁４０５の円形状挿入穴部４０５ａに挿通されて、下側隔壁部４０４ｂの左面上に軸７０５により回転可能に支持されている。
【０１０８】
本第１実施形態では、スプロケット７０７は、その三枚の羽根７０７ａを有しており、これら羽根７０７ａは、スプロケット付き歯車部材Ｓ１の筒状ボス周りに１２０°間隔にて形成されている。なお、各羽根７０７ａは、図６にて図示時計方向に遊技球を送り出すように、その基部から先端部にかけて時計方向に緩やかに湾曲形成されている。
【０１０９】
平歯車７０６は、平歯車７０４に噛合しており、この平歯車７０６の左面外周部には、突起７０６ａが、スプロケット７０７の三枚の羽根７０７ａのうち一枚の羽根７０７ａの幅方向（回転方向）中央に対応するように、突設されている。
【０１１０】
スプロケット付き歯車部材Ｓ２は、図４〜図６にて示すごとく、その筒状ボスにて軸７０８（歯車軸７０８）に同軸的に支持することにより、隔壁４０５の円形状挿入穴部４０５ｂを介し下側隔壁部４０４ｂの左面に回転可能に支持されている。なお、軸７０８は、下側隔壁部４０４ｂと蓋８００の蓋壁部８０１との間に挟持されている。
【０１１１】
当該スプロケット付き歯車部材Ｓ２は、平歯車７０９（被動平歯車７０９）と、この平歯車７０９の後面に同軸的にかつ一体的に形成されたスプロケット７１０とを備えており、スプロケット７１０は、平歯車７０９を隔壁４０５の左面上に沿い位置させるように、当該隔壁４０５の円形状挿入穴部４０５ｂに挿通されて、下側隔壁部４０４ｂの左面上に軸７０８により回転可能に支持されている。
【０１１２】
本第１実施形態では、スプロケット７１０は、その三枚の羽根７１０ａを有しており、これら羽根７１０ａは、スプロケット付き歯車部材Ｓ２の筒状ボス周りに１２０°間隔にて形成されている。なお、各羽根７１０ａは、図６にて図示反時計方向に遊技球を送り出すように、その基部から先端部にかけて反時計方向に緩やかに湾曲形成されている。
【０１１３】
平歯車７０９は、平歯車７０６に噛合しており、この平歯車７０９の左面外周部には、突起７０９ａが、スプロケット７１０の三枚の羽根７１０ａのうち互いに隣接し合う両羽根７１０ａの間の角度間隔（１ピッチ）の中央に対応するように、突設されている。
【０１１４】
しかして、平歯車７０９は、突起７０９ａにて突起７０６ａに対向するように平歯車７０６に噛合している。換言すれば、両スプロケット７０７、７１０が、互いに半ピッチの角度ずれを維持するように、両平歯車７０６、７０９が噛合している。なお、ピニオン歯車７０３、平歯車７０４、７０６、７０９は、歯車列を構成する。
【０１１５】
蓋８００は、隔壁４０５、球抜き通路４０８の帯状方向下部、ピニオン歯車７０２の下半分部分、各平歯車７０４、７０６、７１０及び両球払い出し検出器７１１、７１２とともに、ケーシング本体部４００ａの下部をその左側から着脱可能に覆蓋するもので、この蓋８００は、蓋壁部内壁８０１（図５参照）にて、球抜き通路４０８の内壁４２０の下端部を構成する。また、蓋８００は、その後壁８０３（図５参照）にて、ケーシング４００の後壁４１１の下部を構成する。
【０１１６】
球払い出し検出器７１１、７１２は、共に、フォトカプラからなるもので、球払い出し検出器７１１は、図６にて示すごとく、球払い出し通路４０６の帯状方向下部にその後側から装着されている。当該球払い出し検出器７１１は、図１４にて示すごとく、その発光部７１１ａ及び受光部７１１ｂにて、球払い出し通路４０６の帯状方向下端部を左右から挟持するように装着されており、この球払い出し検出器７１１は、球払い出し通路４０６を流下する遊技球をその通過毎に光学的に検出する。詳細には、受光部７１１ｂが発光部７１１ａからを隔壁４０５の貫通孔部ｈ１及び下側隔壁部４０４ｂの貫通孔部ｈ２を通して受光している状態において、この受光状態が遊技球でもって遮断されるごとに、球払い出し検出器７１１は、球払い出し通路４０６を流下する遊技球を検出する。
【０１１７】
一方、球払い出し検出器７１２は、図６にて示すごとく、球払い出し通路４０７の帯状方向下部にその前側から装着されている。当該球払い出し検出器７１２は、図１４にて示すごとく、その発光部７１２ａ及び受光部７１２ｂにて、球払い出し通路４０７の帯状方向下端部を左右から挟持するように装着されており、この球払い出し検出器７１２は、球払い出し通路４０７を流下する遊技球をその通過毎に光学的に検出する。詳細には、受光部７１２ｂが発光部７１２ａからを隔壁４０５の貫通孔部ｈ３及び下側隔壁部４０４ｂの貫通孔部ｈ４を通して受光している状態において、この受光状態が遊技球でもって遮断されるごとに、球払い出し検出器７１２は、球払い出し通路４０７を流下する遊技球を検出する。
【０１１８】
制御ユニット５００は、図５にて示すごとく、コ字状壁５１０でもって、ケーシング４００の後壁４１１の上方開口部５１１ａに嵌着されており、この制御ユニット５００は、上述した各球切れレバー４１６、４２５に加え、常開型の左右両側マイクロスイッチ５２０、５３０及び回路基板５４０を備えている。なお、回路基板５４０は、コ字状壁５１０内にその後壁部に沿い支持されている。
【０１１９】
左右両側マイクロスイッチ５２０、５３０は、それぞれ、回路基板５５０の上部にて左右に装着されており、左右両側マイクロスイッチ５２０、５３０は、各押動レバー５２１、５３１にて、球切れレバー４１６、４２５の各レバー部４１６ａ、４２５ａに対向している（図５参照）。本実施形態では、左側マイクロスイッチ５２０が球切れレバー４１６と共に左側球切れ検出器を構成し、右側マイクロスイッチ５３０が球切れレバー４２５と共に右側球切れ検出器を構成する。また、左右両側球切れ検出器が球切れ検出手段を構成する。
【０１２０】
しかして、左側マイクロスイッチ５２０は、押動レバー５２１にて、球切れレバー４１６によりその突起４１６ｃ（図５参照）でもって押動されてオンするようになっている。また、右側マイクロスイッチ５３０は、押動レバー５３１にて、球切れレバー４２５によりその突起４２５ｃでもって押動されてオンするようになっている。換言すれば、マイクロスイッチ５２０は、オフのとき、球切れ検出器として球払い出し通路４０６内の遊技球の球切れを検出し、マイクロスイッチ５３０は、オフのとき球切れ検出器として球払い出し通路４０７内の遊技球の球切れを検出する。
【０１２１】
回路基板５４０は、コ字状壁５１０内にその後壁部に沿い支持されており、この回路基板５４０には、遊技球の払い出し検出による払い出し制御、球切れ検出或いは満タン検出による払い出しの禁止制御のための制御回路５５０（図１７参照）が設けられている。
【０１２２】
この制御回路５５０は、マイクロコンピュータ及びステップモータ７００のための駆動回路５５０ａを備えており、制御回路５５０のマイクロコンピュータは、駆動回路５５０ａ、両球払い出し検出器７１１、７１２、両マイクロスイッチ５２０、５３０及びマイクロスイッチ９４０（後述する）の間に接続されている。
【０１２３】
なお、ステップモータ７００は、コネクタ５４１を介し駆動回路５５０ａに配線接続され、両球払い出し検出器７１１、７１２、両マイクロスイッチ５２０、５３０及びマイクロスイッチ９４０は、コネクタ５４２を介し制御回路５５０に接続されている。また、両コネクタ５４１、５４２は、回路基板５５０に装着されている。なお、両コネクタ５４１、５４２は、右壁４１０の上部にて制御ユニット５００近傍に形成した接続穴部４１０ｄ（図１参照）を介し、外部回路のコネクタに接続されるようになっている。
【０１２４】
制御回路５５０のマイクロコンピュータは、両球払い出し検出器７１１、７１２でもって所定個数（例えば１５個）を検出したとき、ステップモータ７００を停止するように制御する。また、当該マイクロコンピュータは、両マイクロスイッチ５２０、５３０による球切れの検出或いはマイクロスイッチ９４０による遊技球の満タン検出に基づきステップモータ７００を停止するように制御する。なお、当該マイクロコンピュータは、入賞検出スイッチからの入賞信号に基づいて制御を開始する。
【０１２５】
排出部材９００は、図１及び図２にて示すごとく、球払い出し装置Ｄの直下にて、枠状本体２１０の後面の右側縁部に沿い支持されている。この排出部材９００は、図１５及び図１６から分かるように、扁平状ケーシング９１０を有しており、このケーシング９１０は、その前壁９１１にて、枠状本体２１０の後面の右側縁部に沿い着座するようにして、当該右側縁部の適所に支持されている。
【０１２６】
ケーシング９１０は、その内部にて、図１８にて示すごとく、球排出通路９２０及び球抜き通路９３０を有しており、球排出通路９２０は、ケーシング９１０の上後壁９１２及び下後壁９１３側に沿い下方に向けて形成されている。ここで、当該球排出通路９２０は、その上端開口部９２１にて、球払い出し装置Ｄのケーシング４００の下壁４２３の後側払い出し口部４２３ａ及び前側払い出し口部４２３ｂに対向している。また、当該球排出通路９２０は、その下端開口部９２２にて、上皿への払い出し通路（図示しない）に接続されている。
【０１２７】
また、当ケーシング９１０は、満タンレバー９２３を有しており、この満タンレバー９２３は、球排出通路９２０の帯状方向下部において、その幅方向内壁９２４と上後壁９１２との間を閉じる幅方向内壁として、軸９２３ａにより回動可能に支持されている。しかして、この満タンレバー９２３は、遊技球が球排出通路９２０、上皿への払い出し通路及び上皿内において満タン状態になったとき、幅方向内壁９２４と上後壁９１２との近傍の遊技球により押動されて、時計方向に回動する。なお、軸９２３ａは、幅方向内壁９２４の直上にて、ケーシング９１０の左右両側壁の間に支持されている。
【０１２８】
マイクロスイッチ９４０は、常開型マイクロスイッチであって、満タンレバー９２３と共に満タン検出器を構成するもので、このマイクロスイッチ９４０は、上側後壁９１２の下端部及び満タンレバー９２３と下側後壁９１３との間に介装されて、その押動レバー９４１により、満タンレバー９２３を図１８にて示す閉状態に維持する。また、上述のように遊技球が満タン状態になったとき、満タンレバー９２３が時計方向への回動により押動レバー９４１を押動してマイクロスイッチ９４０をオンにする。このことは、上記満タン検出器が上述の満タン状態を検出することを意味する。
【０１２９】
球抜き通路９３０は、ケーシング９１０の前壁９１１側に沿い下方に向けて形成されており、この球抜き通路９３０は、その上端開口部９３１にて、球払い出し装置Ｄのケーシング４００の球抜き通路４０８の排出口部４２３ｃに対向している。また、球抜き通路９３０は、その下端開口部９３２にて、パチンコ遊技機の外側への排出通路に接続されている。
【０１３０】
以上のように構成した本第１実施形態において、球払い出し装置Ｄにおいては、その駆動源であるステップモータ７００が、ケーシング４００内に、両球払い出し通路４０６、４０７の各帯状方向中間部位の間を利用して介装されている。
【０１３１】
従って、当該ステップモータ７００を従来のようにケーシング４００の外側に位置させる場合に比べて、ケーシング４００の左右両側壁４０９、４１０の間隔（球払い出し装置Ｄの幅）を大幅に縮小し得る。このことは、球払い出し装置Ｄが、その幅方向において大幅にコンパクトになることを意味する。その結果、このような球払い出し装置Ｄを、上述のようにパチンコ遊技機の枠状本体２１０の右側縁部にその後側から取り付けても、当該球払い出し装置Ｄが、枠状本体２１０の後側の領域を広く占めることがない。
【０１３２】
よって、各種装置２４０の外形形状が、上述のごとく枠状本体２１０の後側の左右方向において増大していても、当該球払い出し装置Ｄは、各種装置２４０とぶつかることなく、かつ当該各種装置２４０の外形仕様の変更を伴うことなく、適正に、枠状本体２１０の右側縁部に沿い取り付けられ得る。
【０１３３】
ここで、ステップモータ７００は、その出力軸７０２にて、ケーシング４００の上下方向ではなく、右壁４１０から左壁４０９に向け左右方向に延出するようにケーシング４００内に位置するから、ケーシング４００の左右両側壁４０９、４１０の間隔が、ステップモータ７００のモータ本体７０１の外径に左右されることなく、ステップモータ７００の軸方向寸法で決まる。従って、ステップモータ７００の仕様として、当該ステップモータ７００の外径が大きくても、ステップモータ７００の軸方向寸法が小さければ、球払い出し装置Ｄの幅をより一層縮小し得る。
【０１３４】
また、各平歯車７０４、７０６、７０９が、ケーシング４００内において、ステップモータ７００と共に、その出力軸７０２に支持したピニオン歯車７０３の径方向に並んで配設されている。このため、各スプロケット７０７、７１０も、ケーシング４００内において、ピニオン歯車７０３の径方向に並んで配設されている。
【０１３５】
従って、各平歯車７０４、７０６、７０９及び各スプロケット７０７、７１０をステップモータ７００と共に従来のようにケーシングの外部に設ける場合に必要となる余分な構成部材が不要となり、球払い出し装置Ｄの幅がさらに縮小され得る。
【０１３６】
よって、各種装置２４０の外形形状が、上述のごとく枠状本体２１０の後側の左右方向において増大していても、当該球払い出し装置Ｄは、各種装置２４０とぶつかることなく、かつ、当該各種装置２４０の外形仕様の変更を伴うことなく、より一層適正に、枠状本体２１０の右側縁部に沿い取り付けられ得る。
【０１３７】
また、上述のように、制御ユニット５００は、球払い出し検出器７１１、７１２、上記両球切れ検出器、球抜き機構６００及び球抜き通路４０８とともにケーシング４００内に設けられている。その結果、球払い出し装置Ｄが、制御ユニット５００、球払い出し検出器７１１、７１２、上記両球切れ検出器、球抜き機構６００及び球抜き通路４０８をも含めて、一体的にコンパクトに構成され得る。
【０１３８】
また、各平歯車７０４、７０６、７０９は、蓋体８００内にて隔壁４０５の外側に着脱可能に支持されている。ここで、両平歯車７０６、７０９には、各突起７０６ａ、７０９ａが、両スプロケット７０７、７１０を半ピッチだけずれて対向させるように設けられている。従って、両平歯車７０６、７０９を各突起７０６ａ、７０９ａにて対向するように噛合調整するにあたっては、蓋体８００を外すだけで、簡単に行えるので便利である。
【０１３９】
また、当該パチンコ遊技機を遊技状態におくにあたり、遊技球は、球払い出し装置Ｄの両払い出し通路４０６、４０７において、両スプロケット付き歯車部材Ｓ１、Ｓ２の各直上まで充満しているものとする。このとき、両マイクロスイッチ５２０、５３０は、共に、オフ状態にある。
【０１４０】
このような状態において、当該パチンコ遊技機が遊技状態におかれると、制御回路５５０においては、そのマイクロコンピュータが作動して、駆動回路５５０ａを介しステップモータ７００を駆動制御する。これに伴い、当該ステップモータ７００が時計方向（図５及び図６参照）に回転すると、ピニオン歯車７０３が同一方向に回転して平歯車７０４を反時計方向に回転させる。このため、平歯車７０４と噛合する平歯車７０６が、スプロケット７０７と共に時計方向に回転し、一方、平歯車７０６噛合する平歯車７０９がスプロケット７１０と共に反時計方向に回転する。
【０１４１】
ここで、両スプロケット７０７、７１０を、両球払い出し通路４０６、４０７の各帯状方向中間部位内にて、下方に向け両歯車軸４０５、７０８の双方の各外側を交互に通すように互いに逆回転させるべく支持することを前提として、両球払い出し通路４０６、４０７は、それぞれ、両球導入口部４１２、４１３から両球払い出し口部４２３ａ、４２３ｂにかけて、上記各帯状方向中間部位にて、とぎれることなく通路壁を維持しつつ、帯状方向に連続的に構成されている。また、上述したごとく、両スプロケット７０７、７１０が互いに半ピッチだけずれて位置するように両平歯車７０６、７０９が噛合している。なお、本第１実施形態において、上述した両スプロケット７０７、７１０の逆回転とは、スプロケット７０７が時計方向に回転し、スプロケット７１０が反時計方向に回転することをいう（図６参照）。
【０１４２】
このため、両払い出し通路４０６、４０７のうち両スプロケット付き歯車部材Ｓ１、Ｓ２の各直上に位置する遊技球は、両スプロケット７０７、７１０の間を通ることなく、両球払い出し通路４０６、４０７の上記各帯状方向中間部位内にて、両スプロケット７０７、７１０により、第１及び第２のスプロケットの各外側を、順次、交互に通るように、両球払い出し通路４０６、４０７の上記各帯状方向中間部位の内壁に沿い下方へ案内される。
【０１４３】
従って、各遊技球が各球払い出し通路４０６、４０７内にて前後左右方向にぶれたり暴れたりすることなく、順次、交互に、両球払い出し検出器７１１、７１２を介し各球払い出し口部４２３ａ、４２３ｂに向けて移動し得る。このため、両球払い出し検出器７１１、７１２が、同一の遊技球を複数回に亘り検出するというような現象（チャタリング現象）を誘起することはない。
【０１４４】
従って、後述するように遊技球の払い出し数を適正に決定することができ、これにより、当該球払い出し装置をパチンコ遊技機に採用することで、遊技球の適正な払い出し動作のもと、遊技場経営者と遊技者との間の無用なトラブルの発生を未然に防止することができ、ひいては、遊技場の円滑な運営が担保され得る。
【０１４５】
また、上述したごとく、各隆起部４２４、４３１が、各球払い出し通路４０６、４０７のスプロケット７０７、７１０の軸周り（各軸７０５、７０８の軸周り）から各球払い出し口部４２３ａ、４２３ｂにかけて形成されている。
【０１４６】
このため、上述のように遊技球がスプロケット７０７の外側を通り送り出されるとき、下側通路部４０６ｂの上記後側球通路部内において、当該遊技球の移動可能断面が、上述のごとく、隆起部４２４の対向隆起面部Ｐ（図１３参照）によって狭く制限される。従って、当該遊技球は、スプロケット７０７によりその時計方向回転（図６参照）でもって、両隣接羽根７０７ａと幅方向内壁４１８のうち両隣接羽根７０７ａに対する対向内壁部との間で前後左右方向にぶれて動くことなく、隔壁４０５の円形状挿入穴部４０５ａの後側周縁部に沿い、円滑に下側通路部４０６ｂの下方へ移動され得る。
【０１４７】
ついで、当該遊技球は、隆起部４２４により、軸７０５の軸周りから下側通路部４０６ｂの帯状方向下部内にて、前後左右方向へぶれることなく、円滑に移動され得る。
【０１４８】
また、上述のように遊技球がスプロケット７１０の外側を通り送り出されるとき、下側通路部４０７ｂの上記前側球通路部内において、当該遊技球の移動可能断面が、上述のごとく、隆起部４３１の対向隆起面部Ｑ（図１３参照）によって狭く制限される。従って、当該遊技球は、スプロケット７１０によりその反時計方向回転（図６参照）でもって、両隣接羽根７１０ａと幅方向内壁４３０のうち両隣接羽根７１０ａに対する対向内壁部との間で前後左右方向にぶれて動くことなく、隔壁４０５の円形状挿入穴部４０５ｂの前側周縁部に沿い、円滑に下側通路部４０７ｂの下方へ移動され得る。
【０１４９】
ついで、当該遊技球は、隆起部４３１により、軸７０８の軸周りから下側通路部４０７ｂの帯状方向下部内にて、前後左右方向へぶれることなく、円滑に移動され得る。
【０１５０】
その結果、球払い出し装置Ｄによる各球払い出し口部４２３ａ、４２３ｂからの遊技球の払い出しが円滑になされ、このように払い出された遊技球は、排出部材９００の球排出通路９２０を通り前扉３００の上皿内に入る。
【０１５１】
しかして、上述のように両球払い出し検出器４１１、４１２により検出される遊技球の数が上記所定個数に達すると、ステップモータ７００は、制御回路５５０のマイクロコンピュータにより駆動回路５５０ａを介し停止される。このとき、上述のように両球払い出し検出器４１１、４１２の検出がチャタリング現象を伴うことなく適正になされるので、上記所定個数に基づくステップモータ７００の停止は適正になされ得る。その結果、上述のごとく、遊技球の適正な払い出し動作のもと、遊技場経営者と遊技者との間の無用なトラブルの発生を未然に防止することができ、ひいては、遊技場の円滑な運営が担保され得る。
【０１５２】
また、両球払い出し通路４０６、４０７の少なくとも一方の内部、例えば、球払い出し通路４０６内に導入される遊技球に球切れが発生した場合には、マイクロスイッチ５２０がその押動レバー５２１により球切れレバー４１６を押動しつつオンする。このため、制御回路５５０のマイクロコンピュータが、マイクロスイッチ５２０のオンに基づき、駆動回路５５０ａを介しステップモータ７００を停止させる。これにより、球払い出し装置Ｄの遊技球の払い出しが停止する。このようなことは、球払い出し通路４０７内に導入される遊技球に球切れが発生した場合でも、マイクロスイッチ５３０がその押動レバー５３１により球切れレバー４２５を押動しつつオンすることで、達成され得る。
【０１５３】
また、両球払い出し通路４０６、４０７から遊技球を抜く必要が生じた場合には、規制レバー６２１を操作軸６２１ａにて環状ボス４１０ｃ側から環状ボス４０９ｄ側へ押動すれば、規制レバー６２１は、球抜きレバー４１９のレバー部４１９ｂとは当接することなく当該レバー部４１９ｂの左側に位置する。
【０１５４】
このため、球抜きレバー４１９が、レバー部４１９ａにて、ケーシング４００ｂの前壁４０３と幅方向内壁４２９との間を開き得るように位置することとなる。その結果、遊技球が、両球払い出し通路４０６、４０７の球放出口部から球抜き通路４０８内にその球抜き口部を介し球抜きされて、球排出口部４２３ｃから排出部材９００の球抜き通路９３０を介しその排出口部９３２を経て当該遊技機の外部に排出される。
【０１５５】
ここで、遊技球が前扉３００の上皿から排出部材９００の排出通路９２０内にかけて満タンになると、満タンレバー９２３がその近傍に位置する遊技球により押動されて満タン検出器であるマイクロスイッチ９４０をオンにする。このため、ステップモータ７００が、制御回路５５０により駆動回路５５０ａを介し停止される。その結果、球払い出し装置Ｄによる遊技球の払い出しが停止する。
（第２実施形態）
図１９及び図２０は、本発明を適用してなるパチンコ遊技機の第２実施形態の要部を示している。本第２実施形態では、上記第１実施形態にて述べた球払い出し装置Ｄ及び排出部材９００は、上記第１実施形態にて述べた枠状本体２１０の右側縁部ではなく、後述するように、枠状本体２１０の固定板２１０ｂに支持されている。
【０１５６】
本第２実施形態において、枠状本体２１０は、図２０にて示すごとく、遊技板２１０ａ（上記第１実施形態にて述べた遊技板に相当）と、この遊技板２１０ａの右側縁部に沿い組み付けた合成樹脂製固定板２１０ｂ（上記第１実施形態にて述べた固定板に対応する）を組み付けて構成されている。
【０１５７】
固定板２１０ｂは、図２０にて示すごとく、組み付け部２１１から固定部２１２を階段状に延出させて構成されており、組み付け部２１１は、遊技板２１０ａの右側縁部に沿い組み付けられている。また、階段状の固定部２１２は、図２０から分かるように、Ｌ字状の脚部２１２ａ及び腕部２１２ｂを有しており、脚部２１２ａは、組み付け部２１１の延出端部から遊技板２１０ａの後面に沿い左方へＬ字状に延出した後、後方へＬ字状に延出している。
【０１５８】
腕部２１２ｂは、図１９及び図２０から分かるように、脚部２１２ａの延出端部から左方へＬ字状に一体的に延出している。ここで、固定部２１２は、その腕部２１２ｂにて、球誘導樋２３０Ａ（後述する）の取り付け面と同じ高さに位置するように形成されている。本実施形態では、球誘導樋２３０Ａの上記取り付け面は、枠状本体２１０の上端突出部２１３（図１９参照）の後面に相当する。また、上端突出部２１３は、球貯留タンク２２０の右側及びその直下において、球貯留タンク２２０の底壁開口部の位置まで、枠状本体２１０の後面側へ突出している。これは、球貯留タンク２２０の底壁開口部、球誘導樋２３０Ａの球流出口部及び球払い出し装置Ｄの球導入口部４１２、４１３を同一鉛直面内に位置させるためである。
【０１５９】
しかして、球払い出し装置Ｄ及び排出部材９００は、次のようにして、固定板２１０ｂの腕部２１２ｂ上に固定支持されている。
【０１６０】
即ち、当該球払い出し装置Ｄにおいては、ケーシング４００が、制御ユニット５００を前壁４０２よりも左側に位置させるようにして、右壁４１０にて、固定板２１０ｂの腕部２１２ｂ上に沿い固定支持されている（図２０参照）。なお、ケーシング４００のケーシング頭部４００ｂは、球誘導樋２３０Ａ（後述する）の球流出口部の直下に位置する。
【０１６１】
上述した球誘導樋４３０Ａは、本第２実施形態では、上記第１実施形態にて述べた球誘導樋２３０に代えて、上記第１実施形態にて述べた球貯留タンク２２０の直下にて、当該球貯留タンク２２０の左側端部から右側に向け、かつ下方へ緩やかに傾斜するように、枠状本体２１０の上端突出部２１３（図１９参照）の後面に沿い取り付けられており、この球誘導樋２３０Ａは、球貯留タンク２２０の底壁開口部から落下する遊技球をその傾斜方向に向けて誘導する。また、当該球誘導樋２３０Ａは、その右側端部（球流出口部を有する）にて、図１９に示すごとく、球誘導樋４３０の右側端部２３１よりも左側に位置している。なお、本第２実施形態では、球誘導樋２３０Ａの右側端部も、符号２３１で示す。
【０１６２】
また、排出部材９００においては、ケーシング９１０が、後壁９１２を前壁９１１よりも左側に位置させるようにして、ケーシング４００の直下にて、固定板２１０ｂの腕部２１２ｂ上に沿い固定支持されている（図２０参照）。なお、当該球排出通路９２０は、その上端開口部９２１にて、球払い出し装置Ｄのケーシング４００の下壁４２３の後側払い出し口部４２３ａ及び前側払い出し口部４２３ｂに対向している。また、当該球排出通路９２０は、その下端開口部９２２にて、上皿への払い出し通路（図示しない）に接続されている。
【０１６３】
また、上記第１実施形態にて述べた各種装置２４０は、その右側端部にて、図１９及び図２０にて示すごとく、遊技板２１０ａの右側縁部と固定板２１０ｂの腕部２１２ｂとの間に介装されている。その他の構成は、上記第１実施形態と同様である。
【０１６４】
このように構成した本第２実施形態では、球払い出し装置Ｄが、上述のごとく、排出部材９００と共に、枠状本体２１０の固定板２１０ｂの固定部２１２によりその腕部２１２ｂ上に固定支持されている。このことは、球払い出し装置Ｄの幅方向が当該パチンコ遊技機の前後方向に一致し、当該球払い出し装置Ｄの前後方向が、当該パチンコ遊技機の左右方向に一致することを意味する。
【０１６５】
また、各種装置２４０は、上述のごとく、その右側端部にて、図１９及び図２０にて示すごとく、遊技板２１０ａの右側縁部と固定板２１０ｂの腕部２１２ｂとの間に介装されている。このことは、各種装置２４０が、その右側端部にて、遊技板２１０ａの右側縁部と固定板２１０ｂの腕部２１２ｂとの間に形成される空所内に介装されていることを意味する。
【０１６６】
従って、当該球払い出し装置Ｄの前後方向が、上述のごとく、当該パチンコ遊技機の左右方向に一致することで、この球払い出し装置Ｄが、枠状本体１２０の右側縁部から左側へ大きく突出し、かつ、各種装置２４０の外形形状が、上記第１実施形態にて述べたごとく、枠状本体２１０の後側の左右方向において増大していても、各種装置２４０が、その右側端部にて、遊技板２１０ａの右側縁部と固定板２１０ｂの腕部２１２ｂとの間に形成される空所内に介装される。従って、当該球払い出し装置Ｄは、各種装置２４０とぶつかることなく、かつ当該各種装置２４０の外形仕様の変更を伴うことなく、適正に、固定板２１０ｂの腕部２１２ｂに取り付けられ得る。
【０１６７】
また、球払い出し装置Ｄの幅は、上記第１実施形態にて述べたように薄く形成されているから、球払い出し装置Ｄの幅方向が上述のごとく当該パチンコ遊技機の前後方向に一致していても、球払い出し装置Ｄが、当該パチンコ遊技機の後側へ不必要に突出することはなく、その結果、後ろ側に立設される他のパチンコ遊技機とぶつかったりすることはない。その他の作用効果は上記第１実施形態と同様である。
【０１６８】
なお、本発明の実施にあたり、上記第１或いは第２の実施形態に限ることなく、次のような種々の変形例が挙げられる。
（１）両球払い出し通路４０６、４０７は、上記第１或いは第２の実施形態とは異なり、互いに逆の方向に折れ曲がり形成するようにしてもよい。
（２）隔壁４０４のうち両球払い出し通路４０６、４０７に対する対応部位以外は廃止してもよい。
（３）球払い出し装置Ｄは、ケーシング４００の後壁側から枠状本体２１０の右側縁部に支持するようにしてもよい。
（４）球払い出し装置Ｄは、上記第２実施形態にて述べた固定部２１２の腕部２１２ｂに対し、各種装置２４０の右側端部側にて固定支持するようにしてもよい。
（５）固定板２１０ｂは、上記第２実施形態にて述べたものに限ることなく、球払い出し装置Ｄを、各種装置２４０の右端部を介し、枠状本体２１０の後側に固定し得る形状を有する固定部材であればよい。
（６）球払い出し装置Ｄは、上記第１或いは第２の実施形態とは異なり、左壁４０９の上壁部４０９ａと下壁部４０９ｂ（蓋８００の蓋壁部８０１）との境界（図３参照）を通り横断するように２分割して、遊技球を導入する球導入体と、この球導入体からの遊技球を払い出す球払い出し体とでもって、別体形成してもよい。
（７）球払い出し通路４０６における上側通路部４０６ａの上端開口部（左側球導入口部４１２）及び球払い出し通路４０７における上側通路部４０７ａの上端開口部（右側球導入口部４１３）は、上記第１或いは第２の実施形態とは異なり、ケーシング頭部４００ｂの前壁、左壁及び右壁のいずれかにおいて、外方へ共に並んで開口するように形成されていてもよい。この場合には、球誘導樋２３０の球流出口部は、ケーシング頭部４００ｂの前壁、左壁及び右壁のいずれかに形成される上側通路部４０６ａ及び上側通路部４０７ａの各上端開口部に対向するように、形成される。
（８）球払い出し通路４０６における下側通路部４０６ｂの下端開口部（後側払い出し口部４２３ａ）及び球払い出し通路４０７における下側通路部４０７ｂの下端開口部（前側払い出し口部４２３ｂ）は、上記第１或いは第２の実施形態とは異なり、それぞれ、ケーシング４００の前後両壁４０２、４１１の各下端部のいずれかにおいて並んで外方へ開口するように形成されていてもよい。この場合、排出部材９００の球排出通路９２０の上端開口部は、ケーシング４００の前後両壁４０２、４１１の各下端部のいずれかにおいて並んで外方へ開口するように形成される下側通路部４０６ｂ及び下側通路部４０７ｂの各下端開口部に対向するように、形成される。
（９）球貯留タンク２２０は、その前壁にて、機構板に沿い取り付けるようにしてもよい。なお、上記機構板は、枠状本体２１０の上部にその後面に沿い設けられている。
（１０）ステップモータ７００に代えて、例えば、小型の誘導電動機や直流電動機等を採用してもよい。
（１１）ステップモータ７００に代えて、ギヤードモータを採用してもよい。ここで、当該ギヤードモータは、ステップモータに減速機を同軸的に連結し、当該減速機の出力軸にピニオン歯車７０３を同軸的に支持するようにしてもよい。なお、上記減速機を、ステップモータの出力軸に支持する小径歯車と、この小径歯車に噛合する大径歯車でもって構成し、この大径歯車の出力軸にピニオン歯車７０３を同軸的に支持すれば、ピニオン歯車７０３は、ステップモータの出力軸からその径方向に変位して支持され得る。
（１２）両スプロケット７０７、７１０の羽根の枚数は、上記実施形態とは異なり、２枚、４枚或いは５枚であってもよく、一般的には、複数枚であればよい。
（１３）固定板２１０ｂにおいては、階段状の固定部２１２が、上記実施形態とは異なり、組み付け部２１１と別体であってもよく、例えば、球貯留タンク２２０及び球誘導樋２３０Ａとともに、枠状本体２１０の後面に設けるようにしてもよい。
（１４）各隆起部４２４、４３１は、上記第１或いは第２の実施形態にて述べた断面形状に限ることなく、各下側通路部４０６ｂ、４０７ｂ内において、遊技球を前後左右方向へのぶれをなく下方へ移動させ得る形状であれば、当該遊技球の移動可能断面をどのような形状であってもよく、また、どのような位置に形成してもよい。
（１５）本発明は、パチンコ遊技機に限ることなく、アレンジボール機、雀球機やパロット機（遊技球を遊技媒体に使用する回動式遊技機）に適用してもよい。
【図面の簡単な説明】
【０１６９】
【図１】本発明が適用されるパチンコ遊技機の第１実施形態を示す概略後面斜視図である。
【図２】図１のパチンコ遊技機の部分後面図である。
【図３】図１の球払い出し装置の左側側面図である。
【図４】図３の球払い出し装置を、蓋体を外した状態で示す左側側面図である。
【図５】図７にて５−５線に沿う断面図である。
【図６】図５の球払い出し装置の部分破断拡大断面図である。
【図７】図１の球払い出し装置の後面図である。
【図８】図１の球払い出し装置の前面図である。
【図９】図１の球払い出し装置の平面図である。
【図１０】図１の球払い出し装置の下面図である。
【図１１】図５にて１１−１１線に沿う断面図である。
【図１２】図５にて１２−１２線に沿う断面図である。
【図１３】図５にて１３−１３線に沿う断面図である。
【図１４】図５にて１４−１４線に沿う断面図である。
【図１５】図１の球払い出し装置の電気回路構成図である。
【図１６】図１の排出部材の左側側面図である。
【図１７】図１の排出部材の後面図である。
【図１８】図１７の１８−１８線に沿う断面図である。
【図１９】本発明の第２実施形態を示すパチンコ遊技機の部分後面図である。
【図２０】図１９にて２０−２０線に沿う部分断面図である。
【符号の説明】
【０１７０】
Ｄ…球払い出し装置、１００…基枠、２００…遊技機本体、２１０…枠状本体、
２１０ｂ…固定板、２１２…固定部、２１２ｂ…腕部、２２０…球貯留タンク、
２３０、２３０Ａ…球誘導樋、２４０…各種装置、３００…前扉、
４００…ケーシング、４００ｂ…ケーシング頭部、４０９…左壁、４０１…上壁、
４０６、４０７…球払い出し通路、４０６ａ、４０７ａ…上側通路部、
４０６ｂ、４０７ｂ…下側通路部、４０８…球抜き通路、４１０…右壁、
４１２、４１３…球導入口部、４１６、４２５…球切れレバー、
４１９…球抜きレバー、４２３…下壁、４２３ａ、４２３ｂ…球払い出し口部、
４２４、４３１…隆起部、５００…制御ユニット、５１１ａ…開口部、
５２０、５３０…マイクロスイッチ、６００…球抜き機構、６２１ａ…操作軸、
７００…ステップモータ、７０３…ピニオン歯車、７０４、７０６、７０９…平歯車、
７０５、７０８…歯車軸、７０７、７１０…スプロケット、
７１１、７１２…球払い出し検出器。
【図１】
0005000967.tif 000002
【図２】
0005000967.tif 000003
【図３】
0005000967.tif 000004
【図４】
0005000967.tif 000005
【図５】
0005000967.tif 000006
【図６】
0005000967.tif 000007
【図７】
0005000967.tif 000008
【図８】
0005000967.tif 000009
【図９】
0005000967.tif 000010
【図１０】
0005000967.tif 000011
【図１１】
0005000967.tif 000012
【図１２】
0005000967.tif 000013
【図１３】
0005000967.tif 000014
【図１４】
0005000967.tif 000015
【図１５】
0005000967.tif 000016
【図１６】
0005000967.tif 000017
【図１７】
0005000967.tif 000018
【図１８】
0005000967.tif 000019
【図１９】
0005000967.tif 000020
【図２０】
0005000967.tif 000021